(57)【特許請求の範囲】
【請求項１】
樹脂製のインナーシェルと、当該インナーシェルが取り付けられる座のベース部材とを有し、前記インナーシェルが、各々の長手方向が前後方向に沿わされると共に左右方向に横並びに配置された複数の帯部材を有し、前記帯部材が、前端部分と後端部分とがそれぞれ下方に折り返されて形成された前側湾曲部及び後側湾曲部を有すると共に、下方に折り返されることによって前記前側湾曲部と前記後側湾曲部との間の部分の下方に位置することになる前記インナーシェルの前端及び後端が前記座のベース部材に取り付けられて、前記インナーシェルと前記座のベース部材との間に前記インナーシェルが撓むための撓み空間が形成され、当該撓み空間に撓み調整部材を備えることを特徴とする椅子の座。
【請求項２】
樹脂製のインナーシェルと、当該インナーシェルが取り付けられる座のベース部材とを有し、前記インナーシェルが、各々の長手方向が左右方向に沿わされると共に前後方向に横並びに配置された複数の帯部材を有し、前記帯部材が、左端部分と右端部分とがそれぞれ下方に折り返されて形成された左側湾曲部及び右側湾曲部を有すると共に、下方に折り返されることによって前記左側湾曲部と前記右側湾曲部との間の部分の下方に位置することになる前記インナーシェルの左端及び右端が前記座のベース部材に取り付けられて、前記インナーシェルと前記座のベース部材との間に前記インナーシェルが撓むための撓み空間が形成され、当該撓み空間に撓み調整部材を備えることを特徴とする椅子の座。
【請求項３】
樹脂製のインナーシェルと、当該インナーシェルが取り付けられる背のベース部材とを有し、前記インナーシェルが、各々の長手方向が上下方向に沿わされると共に左右方向に横並びに配置された複数の帯部材を有し、前記帯部材が、上端部分と下端部分とがそれぞれ後方に折り返されて形成された上側湾曲部及び下側湾曲部を有すると共に、後方に折り返されることによって前記上側湾曲部と前記下側湾曲部との間の部分の後方に位置することになる前記インナーシェルの上端及び下端が前記背のベース部材に取り付けられて、前記インナーシェルと前記背のベース部材との間に前記インナーシェルが撓むための撓み空間が形成され、当該撓み空間に撓み調整部材を備えることを特徴とする椅子の背。
【請求項４】
樹脂製のインナーシェルと、当該インナーシェルが取り付けられる背のベース部材とを有し、前記インナーシェルが、各々の長手方向が左右方向に沿わされると共に上下方向に横並びに配置された複数の帯部材を有し、前記帯部材が、左端部分と右端部分とがそれぞれ後方に折り返されて形成された左側湾曲部及び右側湾曲部を有すると共に、後方に折り返されることによって前記左側湾曲部と前記右側湾曲部との間の部分の後方に位置することになる前記インナーシェルの左端及び右端が前記背のベース部材に取り付けられて、前記インナーシェルと前記背のベース部材との間に前記インナーシェルが撓むための撓み空間が形成され、当該撓み空間に撓み調整部材を備えることを特徴とする椅子の背。
【請求項５】
前記撓み調整部材が、袋状に形成され、気体若しくは液体を出し入れすることによって体積が変化したり弾性力が変化したりすることを特徴とする請求項１から４のうちのいずれか一つに記載の椅子の座または椅子の背。
【請求項６】
前記複数の帯部材のうちの少なくとも一部にスリットが形成されていることを特徴とする請求項１から４のうちのいずれか一つに記載の椅子の座または椅子の背。
【請求項７】
請求項１から６のいずれか一つに記載の椅子の座と椅子の背とのうちの少なくとも一方を備えることを特徴とする椅子。
【発明の詳細な説明】
【技術分野】
【０００１】
本発明は、椅子の座、椅子の背並びに椅子に関する。さらに詳述すると、本発明は、例えば事務用椅子などに適用され得る椅子の座や椅子の背の構造、並びにこの構造を備える座や背を有する椅子に関する。
【背景技術】
【０００２】
従来より、椅子の座面は着座者の座り心地を良好にするように様々な工夫がなされている。従来の椅子の座の構造としては、例えば、図１０に示すように、アウター部材１０３を金属板製のベース体１０４と合成樹脂製の補助支持体１０５とで構成して補助支持体１０５をベース体１０４の張出部１０４ａに嵌め入れて固定し、さらに、合成樹脂製のインナーシェル１０１にスリットを形成すると共に左右両側部の係止爪１０１ａを介して補助支持体１０５に取り付けてインナーシェル１０１を凹み変形させるものがある（特許文献１）。なお、図１０において符号１０７は椅子の脚部上端に取り付けられる座受け体である。
【０００３】
上記特許文献１の椅子の座の構造にもみられるように、座を構成するには、芯材となる板（インナーシェル１０１）を合成樹脂によって成形してクッション材１０２を載せた上で張地で覆う構造とすることが多い。そして、上記特許文献１の椅子の座の構造では、芯材たる合成樹脂部材であるインナーシェル１０１にスリットを設けて撓ませるようにしている。
【０００４】
また、従来、椅子の座のクッションとしてエアクッションが用いられる場合があり、具体的には例えば、椅子の脚部上端に支持される座体の座部基板上にエアクッションを載置するようにするものがある（特許文献２）。
【先行技術文献】
【特許文献】
【０００５】
【特許文献１】特開２０００−９３２５０号
【特許文献２】特開２００９−２９７３１９号
【発明の概要】
【発明が解決しようとする課題】
【０００６】
しかしながら、特許文献１の椅子の座の構造のように合成樹脂製のインナーシェル１０１にスリットを設けることで撓み変形をさせる構造の場合にはインナーシェル１０１が着座者の体重に応じて撓み変形することで座面が撓むだけであり、着座者の特性及び好みや使用場面に応じて撓み量を変化させることはできないという問題がある。このため、特許文献１の椅子の座の構造は、着座者の様々な特性及び好みや使用場面に応じて良好な座り心地を確保することができるとは言い難く、適応性・汎用性が高いとは言い難い。
【０００７】
また、特許文献２の椅子の座では、座部基板上に載置されたエアクッションに直接着座するために着座者の臀部との当たりの程度を調整することができないし、また、エアクッション内の空気量を調整してクッションとしての弾力性を調整することもできないので、座としての撓み量を調整することができず、適応性・汎用性が高いとは言い難い。
【０００８】
そこで、本発明は、着座者の様々な特性及び好みや使用場面に応じて撓み量を調整することができる椅子の座、椅子の背並びに椅子を提供することを目的とする。
【課題を解決するための手段】
【０００９】
かかる目的を達成するため、請求項１記載の椅子の座は、樹脂製のインナーシェルと、当該インナーシェルが取り付けられる座のベース部材とを有し、前記インナーシェルが、各々の長手方向が前後方向に沿わされると共に左右方向に横並びに配置された複数の帯部材を有し、前記帯部材が、前端部分と後端部分とがそれぞれ下方に折り返されて形成された前側湾曲部及び後側湾曲部を有すると共に、下方に折り返されることによって前記前側湾曲部と前記後側湾曲部との間の部分の下方に位置することになる前記インナーシェルの前端及び後端が前記座のベース部材に取り付けられて、前記インナーシェルと前記座のベース部材との間に前記インナーシェルが撓むための撓み空間が形成され、当該撓み空間に撓み調整部材を備えるようにしている。また、請求項２記載の椅子の座は、樹脂製のインナーシェルと、当該インナーシェルが取り付けられる座のベース部材とを有し、前記インナーシェルが、各々の長手方向が左右方向に沿わされると共に前後方向に横並びに配置された複数の帯部材を有し、前記帯部材が、左端部分と右端部分とがそれぞれ下方に折り返されて形成された左側湾曲部及び右側湾曲部を有すると共に、下方に折り返されることによって前記左側湾曲部と前記右側湾曲部との間の部分の下方に位置することになる前記インナーシェルの左端及び右端が前記座のベース部材に取り付けられて、前記インナーシェルと前記座のベース部材との間に前記インナーシェルが撓むための撓み空間が形成され、当該撓み空間に撓み調整部材を備えるようにしている。
【００１０】
また、請求項３記載の椅子の背は、樹脂製のインナーシェルと、当該インナーシェルが取り付けられる背のベース部材とを有し、前記インナーシェルが、各々の長手方向が上下方向に沿わされると共に左右方向に横並びに配置された複数の帯部材を有し、前記帯部材が、上端部分と下端部分とがそれぞれ後方に折り返されて形成された上側湾曲部及び下側湾曲部を有すると共に、後方に折り返されることによって前記上側湾曲部と前記下側湾曲部との間の部分の後方に位置することになる前記インナーシェルの上端及び下端が前記背のベース部材に取り付けられて、前記インナーシェルと前記背のベース部材との間に前記インナーシェルが撓むための撓み空間が形成され、当該撓み空間に撓み調整部材を備えるようにしている。また、請求項４記載の椅子の背は、樹脂製のインナーシェルと、当該インナーシェルが取り付けられる背のベース部材とを有し、前記インナーシェルが、各々の長手方向が左右方向に沿わされると共に上下方向に横並びに配置された複数の帯部材を有し、前記帯部材が、左端部分と右端部分とがそれぞれ後方に折り返されて形成された左側湾曲部及び右側湾曲部を有すると共に、後方に折り返されることによって前記左側湾曲部と前記右側湾曲部との間の部分の後方に位置することになる前記インナーシェルの左端及び右端が前記背のベース部材に取り付けられて、前記インナーシェルと前記背のベース部材との間に前記インナーシェルが撓むための撓み空間が形成され、当該撓み空間に撓み調整部材を備えるようにしている。
【００１１】
したがって、これらの椅子の座や椅子の背によると、撓み調整部材によってインナーシェルの撓み部の撓み量を調整することにより、例えば体重の軽重といった着座者の特性や、座部・背部は硬めが良いや柔らかめが良いといった着座者の好みや、執務中は硬めが良いが休憩中は柔らかめが良いといった使用場面に応じて座や背の撓み量が調整される。
【００１２】
また、これらの椅子の座や椅子の背によると、インナーシェルの下方或いは後方に撓み調整部材を有する椅子の座或いは背が簡単な構成によって実現される。さらに、これらの椅子の座や椅子の背によると、横並びに配置された複数の帯部材が各々独立に撓み変形して着座者の臀部や背部を支持するようになるので、着座者の臀部・背部の形状や動きに合わせて座面や背面がきめ細かく変形する。
【００１３】
また、請求項５記載の発明は、請求項１から４のうちのいずれか一つに記載の椅子の座または椅子の背において、前記撓み調整部材が、袋状に形成され、気体若しくは液体を出し入れすることによって体積が変化したり弾性力が変化したりするようにしている。この場合には、撓み調整部材の体積や弾性力が変化することによってインナーシェルの撓み量がきめ細かく調整される。
【００１４】
また、請求項６記載の発明は、請求項１から４のうちのいずれか一つに記載の椅子の座または椅子の背において、前記複数の帯部材のうちの少なくとも一部にスリットが形成されているようにしている。この場合には、スリットの形成の程度によってインナーシェル全体としての弾性力（硬さ）を調整して撓み量が調整される。また、インナーシェルの場所によってスリットの形成の程度を変えることによって弾性力（硬さ）がインナーシェルの場所によって変化する。
【００１６】
また、請求項７記載の椅子は、請求項１から６のいずれか一つに記載の椅子の座と椅子の背とのうちの少なくとも一方を備えるようにしている。この場合には、上述の請求項１から６に記載の発明の作用のうち対応する作用が奏される。
【発明の効果】
【００１７】
本発明の椅子の座、椅子の背によれば、着座者の特性及び好みや使用場面に応じて撓み量を変化させて良好な座り心地・凭れ心地を確保することができるので、適応性，汎用性の向上を図ることが可能になる。
【００１８】
本発明の椅子の座、椅子の背によれば、さらに、インナーシェルの下方或いは後方に撓み調整部材を有する椅子の座或いは背を簡単な構成によって実現することができるので、椅子の座や背の構成としての汎用性の向上を図ることが可能になる。
【００１９】
本発明の椅子の座、椅子の背によれば、さらに、インナーシェル全体としての弾性力（硬さ）を調整して撓み量を調整することができるので、弾性力の微妙な調整をしてより一層良好な座り心地・凭れ心地を実現することが可能になる。また、インナーシェルの場所によって弾性力（硬さ）を変化させることができるので、着座者の通常姿勢や傾斜姿勢を考慮した上での弾性力のきめ細かな調整をしてより一層良好な座り心地・凭れ心地を実現することが可能になる。
【００２０】
本発明の椅子の座、椅子の背によれば、さらに、着座者の臀部・背部の形状や動きに合わせて座面や背面をきめ細かく変形させることができるので、臀部や背部のフィット感を格段に向上させて今までにない座り心地・凭れ心地で格別の座り心地・凭れ心地を実現することが可能になる。
【００２１】
また、本発明の椅子によれば、上述の椅子の座、椅子の背による作用効果が発揮される。
【図面の簡単な説明】
【００２２】
【図１】実施形態の椅子の斜視図である。
【図２】実施形態の椅子の側面図である。
【図３】実施形態の椅子の平面図である。
【図４】実施形態の椅子の正面図である。
【図５】実施形態の椅子の座の斜視図である。
【図６】実施形態の椅子の座の平面図である。
【図７】実施形態の椅子の座の分解斜視図である。
【図８】椅子の座の実施形態を示す側面図である。（Ａ）は図５及び図６の実施形態の側面図である。（Ｂ）は他の実施形態の側面図である。（Ｃ）は更に他の実施形態の側面図である。
【図９】椅子の座の他の例を示す側面図である。（Ａ）はインナーシェルの後端部分に立体支持部を形成しない場合の例を示す側面図である。（Ｂ）はインナーシェルの後端部分に立体支持部を形成しない場合の更に他の例を示す側面図である。
【図１０】従来の椅子の座の構造を示す分離正面断面図である。
【発明を実施するための形態】
【００２３】
以下、本発明の構成を図面に示す実施の形態の一例に基づいて詳細に説明する。
【００２４】
図１から図６に、本発明の椅子の座の実施形態の一例を示す。なお、本実施形態では、本発明の椅子の座を図１から図４に全体構造を示す椅子２０に適用した場合を例に挙げて説明する。また、本明細書においては、椅子２０の座部１０に座った着座者を基準にして上下、前後、左右を定義する。
【００２５】
本実施形態の椅子２０は、キャスターを有する脚２１と、脚２１の脚支柱２１ａの頂部に取り付けられ支持される支基８と、支基８の後寄り部分に前端部分が揺動可能に取り付けられる背板支持部材２２と、背板支持部材２２に取り付けられる背のベース部材２３と、支基８に取り付けられ支持される座のベース部材１１と、座のベース部材１１に取り付けられる座のインナーシェル１３とを有する。なお、図５及び図６においては、座のベース部材１１の図示を省略し、インナーシェル１３のみを図示している。
【００２６】
そして、本発明の椅子の座は、樹脂製のインナーシェル１３と、インナーシェル１３の下方に配置された撓み調整部材１６とを有するものである。
【００２７】
本実施形態では、インナーシェル１３が前後端部分の両方に立体支持部１３ａ，１３ｂを備えた立体構造であり、インナーシェル１３の撓み部１３ｅが撓んで進入する空間１５に撓み調整部材１６が配置されているようにしている。また、本実施形態では、インナーシェル１３が、複数の帯部材１３Ａが横並びに配置されて構成されているようにしている。
【００２８】
本実施形態では、インナーシェル１３を構成する各帯部材１３Ａの前端部及び後端部は、立体支持部として、前端部分及び後端部分が各々下方に折り返されて形成された前側湾曲部１３ａ及び後側湾曲部１３ｂを有し、側面視横Ｕ字形状に形成されている。
【００２９】
インナーシェル１３（帯部材１３Ａ）の材質は、人の着座の荷重によって撓むものであれば特定のものに限定されるものではなく、具体的には例えば合成樹脂が用いられる。本実施形態では、帯部材１３Ａはポリプロピレンを用いた樹脂成型品である。
【００３０】
ここで、帯部材１３Ａの前側湾曲部１３ａと後側湾曲部１３ｂとの間の部分のことを撓み部１３ｅと呼ぶ。なお、帯部材１３Ａの撓み部１３ｅは、勿論、インナーシェル１３にとっても撓み部である。
【００３１】
本実施形態では８本の帯部材１３Ａを横並びに、具体的には帯部材１３Ａの長手方向と水平直角方向に横に並べて配置してインナーシェル１３を構成するようにしているが、インナーシェル１３を帯部材１３Ａによって構成する場合の帯部材１３Ａの本数は２本以上であれば８本に限定されるものではないし、各帯部材１３Ａの幅も特定の幅に限定されるものではない。なお、本実施形態では各帯部材１３Ａの幅は全て同じであるようにしているが、帯部材１３Ａによって幅を変えるようにしても良い。
【００３２】
下方に折り返されることによって撓み部１３ｅの下方に位置することになる前端１３ｃ及び後端１３ｄが接着やねじ止めなどによって座のベース部材１１に取り付けられる。
【００３３】
そして、上記のように前端部分及び後端部分が折り返されて立体支持部としての前側湾曲部１３ａ及び後側湾曲部１３ｂが形成されることによって帯部材１３Ａの撓み部１３ｅは座のベース部材１１と離れて当該座のベース部材１１の上方に位置する。このように、本発明における立体支持部は、インナーシェル１３の前端１３ｃ，後端１３ｄの平面位置と撓み部１３ｅの平面位置とが異なるようにしインナーシェル１３が立体的な形状（言い換えると、高さを有する形状）であるようにして撓み部１３ｅを支持するものである。そして、インナーシェル１３の撓み部１３ｅの下方であって前端１３ｃ，後端１３ｄが固定して取り付けられる部材（本実施形態では座のベース部材１１）との間に空間（以下、撓み空間１５と呼ぶ）が形成される。
【００３４】
また、立体支持部(１３ａ，１３ｂ)は、撓み部１３ｅを座のベース部材１１と離して上方に位置させると共に、撓み部１３ｅの前端及び後端即ち前側湾曲部１３ａとの境界及び後側湾曲部１３ｂとの境界を回転可能であるように支持すると共にこれら境界同士の間の距離が変化可能であるように支持する（本実施形態では具体的には、荷重の付与・解除によって湾曲部１３ａ，１３ｂの径が変化することによって境界同士の間の距離が変化する）。言い換えると、本発明における立体支持部(１３ａ，１３ｂ)は、インナーシェル１３の撓みを助長させる形状・仕組みとして、撓み部１３ｅの前端及び後端を、撓み回転（言い換えると、左右方向軸を回転軸とする回転）を許容する回転支点且つ前後方向の移動を許容する可動支点として機能して支持するものである。これにより、着座者が座部１０に着座したときに、撓み部１３ｅを十分に撓ませることができ、着座者の臀部と座部１０とのフィット感が良好になる。
【００３５】
本実施形態では、各帯部材１３Ａに、前側湾曲部１３ａから撓み部１３ｅの中ほどまでに亘るスリット１３ｆが形成されている（図１から図４においてはスリット１３ｆの図示を省略している）。なお、スリット１３ｆについては、インナーシェル１３としての撓み変形を助長するものであればその形状や位置や全ての帯部材１３Ａに設けるか否か（言い換えると、設置の程度）は本実施形態における態様に限定されるものではないし、そもそもスリット１３ｆを設けること自体が本発明の必須の要件ではなくスリット１３ｆを一切設けないようにしても良い。
【００３６】
具体的には、本実施形態ではスリット１３ｆを平面視幅一定の直線状に設けるようにしているが、スリット１３ｆの形状は幅一定の直線状に限定されるものではなく、波線状でも良いし、太さが変わっても良いし、平面視楔形や円形などであっても良い。そして、スリット１３ｆの幅や形状を調整することにより、インナーシェル１３としての適切な弾性力を発揮させることができるようになり、且つ、インナーシェル１３の場所によって発揮させる弾性力を変化させることができる。
【００３７】
また、本実施形態ではスリット１３ｆを帯部材１３Ａの前側に設けるようにしているが、スリット１３ｆを設ける位置は前側に限定されるものではなく、後側に設けるようにしても良いし、中間部のみに設けるようにしても良いし、前側と中間部と後側とを組み合わせて設けるようにしても良い。さらに、帯部材１３Ａによってスリット１３ｆを設ける位置を変えるようにしても良い。そして、スリット１３ｆを設ける位置を調整することにより、インナーシェル１３としての適切な弾性力を発揮させることができるようになり、且つ、インナーシェル１３の場所によって発揮させる弾性力を変化させることができる。
【００３８】
また、本実施形態ではスリット１３ｆを全ての帯部材１３Ａに設けるようにしているが、複数の帯部材１３Ａのうちの一部のみにスリット１３ｆを設けるようにしても良い。さらに、スリット１３ｆをいずれの帯部材１３Ａにも設けない、即ち一切設けないようにしても良い。そして、スリット１３ｆの設置数（設置の程度）を調整することにより、インナーシェル１３としての適切な弾性力を発揮させることができるようになり、且つ、インナーシェル１３の場所によって発揮させる弾性力を変化させることができる。
【００３９】
また、本実施形態のようにインナーシェル１３を複数の帯部材１３Ａで構成する場合に、帯部材１３Ａによって材質を変えて弾性力（硬さ）を変えたりスリット１３ｆの設け方を変えたりすることにより、インナーシェル１３の場所によって撓み方を変えるようにしても良い。具体的には例えば、インナーシェル１３の中央部では柔らかめにする一方で、左右側部では硬めにするようにしても良い。このようにすることにより、通常姿勢で着座しているときは十分に撓んで良好な座り心地を確保すると共に、姿勢を左右に傾けたときは着座者の臀部をしっかり支持して姿勢が崩れてしまうことを防ぐことができる。
【００４０】
本実施形態では、各帯部材１３Ａは、隣り合う帯部材１３Ａ同士の間に間隙１４が設けられて横並びに配置される。なお、帯部材１３Ａ同士の間の間隙１４の幅は特定の幅に限定されるものではないし、間隙１４をゼロにして隣り合う帯部材１３Ａ同士を接触させるようにしても良い。
【００４１】
本実施形態のようにインナーシェル１３を複数の帯部材１３Ａによって構成するようにすることにより、着座者が座部１０に着座したときに、複数の帯部材１３Ａが各々独立に撓み変形するので多様で制約が少なく自由度が高い変形を実現することができ、着座者の臀部と座部１０とのフィット感がより一層良好になる。
【００４２】
本実施形態では、撓み空間１５に撓み調整部材１６としての空気袋が配置されている。すなわち、立体支持部である前側湾曲部１３ａ及び後側湾曲部１３ｂを備えることによって立体構造になっているインナーシェル１３の撓み部１３ｅが撓んで進入する空間である撓み空間１５に撓み調整部材１６が配置されている。撓み調整部材１６は、インナーシェル１３（帯部材１３Ａ）の撓み部１３ｅの下方において座のベース部材１１に取り付けられ、撓み部１３ｅの撓み量を調整するためのものである。
【００４３】
撓み調整部材１６は、弾力性を有してインナーシェル１３の撓み部１３ｅの下方であって座のベース部材１１との間に介在してインナーシェル１３の撓み部１３ｅの撓み量を調整できるものであれば本実施形態のように空気袋に限定されるものではなく、他の気体や液体が注入された袋でも良いし、ばねでも良いし、クッションでも良い。
【００４４】
また、撓み調整部材１６については、袋状に形成されて着座者の意図的な操作によって内部の気体や液体を出し入れすることによって体積や弾性力（硬さ）を調整可能にして撓み部１３ｅの撓み量を調整できるようにしても良い。また、撓み調整部材１６の下に上下移動機構を介在させて撓み調整部材１６を上下方向に移動させることによってインナーシェル１３との上下位置関係(上下方向距離)を変化可能にして撓み部１３ｅの撓み量を調整できるようにしても良い。もちろん、撓み調整部材１６の体積や弾性力（硬さ）を調整可能にすると共に上下位置を変化可能にするようにしても良い。
【００４５】
なお、図１から図４では図示していないが、インナーシェル１３の表面を表皮材(張地)で覆うようにしたり、インナーシェル１３と表皮材との間にクッション材を備えるようにしたりしても良い。
【００４６】
また、本実施形態のように間隙１４を有して横並びに配置した複数の帯部材１３Ａによってインナーシェル１３を構成する場合には間隙１４部分を膜状部材で塞ぐようにしても良い。
【００４７】
以上のように構成された本発明の椅子の座によれば、撓み調整部材１６によってインナーシェル１３の撓み部１３ｅの撓み量を調整するようにしているので、例えば体重の軽重といった着座者の特性や、座部１０は硬めが良いや柔らかめが良いといった着座者の好みや、執務中は硬めが良いが休憩中は柔らかめが良いといった使用場面に応じて座の撓み量を調整することができる。
【００４８】
さらに、上述の実施形態のようにインナーシェル１３が前後端部分の両方に立体支持部１３ａ，１３ｂを備えた立体構造であり、インナーシェル１３の撓み部１３ｅが撓んで進入する空間即ち撓み空間１５に撓み調整部材１６が配置されているようにすれば、インナーシェルの下方に撓み調整部材を有するという本発明の椅子の座を簡単な構成によって実現することができるので、椅子の座の構成としての汎用性の向上を図ることが可能になる。
【００４９】
さらに、上述の実施形態のようにインナーシェル１３が、複数の帯部材１３Ａが横並びに配置されて構成されているようにすれば、横並びに配置された複数の帯部材１３Ａが各々独立に撓み変形して着座者の臀部を支持するようになるので、着座者の臀部の形状や動きに合わせて座面をきめ細かく変形させることができ、臀部のフィット感を格段に向上させて今までにない座り心地で格別の座り心地を実現することが可能になる。さらに、インナーシェル１３を構成する帯部材１３Ａ同士の間隔を空けて配置することによってインナーシェルを一部材で構成する場合と比べて通気性を高めることができるので、座部の蒸れなどを防いで快適性の向上を図ることが可能になる。
【００５０】
なお、上述の形態は本発明の好適な形態の一例ではあるがこれに限定されるものではなく、本発明の要旨を逸脱しない範囲において種々変形実施可能である。例えば、上述の実施形態では、本発明の座の構造を図１から図４に全体構造を示す椅子２０に適用した場合を例に挙げて説明したが、本発明の座の構造が適用され得る椅子は椅子２０に限定されるものではなく、上述の実施形態の座のベース部材１１及びインナーシェル１３に対応する構成を採用し得る椅子であればどのような椅子であっても良い。具体的には例えば、背凭れを有しない椅子でも良いし、所謂パイプ椅子でも良いし、所謂丸椅子でも良いし、ベンチでも良い。
【００５１】
また、上述の実施形態では複数の帯部材１３Ａを横並びに配置してインナーシェル１３を構成するようにしているが、本発明におけるインナーシェル１３はこの態様に限定されるものではなく、一部材でインナーシェル１３を構成するようにしても良い。なお、インナーシェル１３を一部材で構成する場合には、スリット１３ｆの設け方を変えることにより、インナーシェル１３の場所によって撓み方を変えるようにしても良い。
【００５２】
また、上述の実施形態では帯部材１３Ａの前端部分及び後端部分が各々下方に折り返されて前側湾曲部１３ａ及び後側湾曲部１３ｂとして立体支持部が側面視横Ｕ字形状に形成されているが（図８(Ａ)参照）、本発明における立体支持部はインナーシェル１３の撓みを助長させるように撓み回転（言い換えると、左右方向軸を回転軸とする回転）を許容する回転支点且つ前後方向の移動を許容する可動支点として機能してインナーシェル１３の撓み部１３ｅの前端・後端を支持するものであればこの態様に限定されるものではなく、下方への傾斜部１３ｇとするようにしても良いし（同図(Ｂ)参照）、下方への屈曲部１３ｈとするようにしても良い（同図(Ｃ)参照；図８においては撓み調整部材１６を図示していない）。これらの態様でも、撓み部１３ｅの前端・後端を撓み回転可能且つ前後移動可能な支点によって支持することができる。なお、図８(Ｂ)及び(Ｃ)では帯部材１３Ａの前端部分を湾曲部１３ａにすると共に後端部分を傾斜部１３ｇや屈曲部１３ｈとするようにしているが、前端部分を傾斜部や屈曲部とすると共に後端部分を湾曲部１３ｂとするようにしても良いし、前端部分と後端部分との両方を傾斜部や屈曲部とするようにしても良い。
【００５３】
さらに言えば、上述の実施形態では帯部材１３Ａの前端部分と後端部分との両方に立体支持部としての湾曲部１３ａ，１３ｂが形成されるようにしているが、立体支持部が形成されるのは帯部材１３Ａの前端部分と後端部分とのうちのどちらか一方のみでも良い。すなわち、図９に示すように、帯部材１３Ａの前端部分には湾曲部１３ａを形成する一方で、後端部分には湾曲部（或いは、傾斜部や屈曲部）を形成しないようにしても良い。なお、この場合には、同図(Ａ)に示すように座のベース部材１１の後端縁部に支持凸部１１ａを設けるようにして当該支持凸部１１ａに帯部材１３Ａの後端１３ｄを取り付けて支持するようにしても良いし、同図(Ｂ)に示すように支持凸部を設けることなく帯部材１３Ａの後端１３ｄを座のベース部材１１に取り付けるようにしても良い。なお、図９(Ｂ)に示す構造の場合には、脚支柱２１ａに取り付けた状態で座のベース部材１１を前傾させるようにして帯部材１３Ａの撓み部１３ｅを水平にするようにしても良い。これらの場合には、帯部材１３Ａの撓み部１３ｅの後端は撓み回転は許容される一方で前後方向の移動は制限されるものの、帯部材１３Ａの撓み部１３ｅの前端が撓み回転が許容される回転支点且つ前後方向の移動が許容される可動支点であるので、上述の実施形態と同様の作用効果を実現することができる。
【００５４】
なお、上記の説明では上述の実施形態のようにインナーシェル１３を複数の帯部材１３Ａで構成することを前提にしているが、一部材でインナーシェル１３を構成する場合には、当該一部材の前端部分と後端部分との両方に立体支持部を形成するようにしても良いし、前端部分のみに立体支持部を形成するようにしても良いし、後端部分のみに立体支持部を形成するようにしても良い。
【００５５】
また、一部材でインナーシェル１３を構成する場合には、前端部分や後端部分の全体に亘って連続的に立体支持部を形成するようにしても良いし、前端部分や後端部分の一部に一つ若しくは複数の立体支持部を形成するようにしても良い。
【００５６】
また、上述の実施形態では各帯部材１３Ａの長手方向を前後方向に合わせると共に複数の帯部材１３Ａを左右方向に横並びで配置するようにしているが、インナーシェル１３を複数の帯部材１３Ａで構成する場合の当該帯部材１３Ａの配置の態様はこの態様に限定されるものではなく、各帯部材１３Ａの長手方向を左右方向に合わせると共に複数の帯部材１３Ａを前後方向に横並びで配置するようにしても良い。なおこの場合には、インナーシェル１３の左端部分と右端部分との両方に立体支持部を形成するようにする。このように、立体支持部を前後ではなくて左右に配置する場合には左端部分と右端部分との両方に形成するようにすることは、インナーシェル１３を一部材で構成するようにした場合も同様である。
【００５７】
また、上述の実施形態ではインナーシェル１３（これを構成する帯部材１３Ａ）と座のベース部材１１とを別体のものとして成形するようにしているが、インナーシェル１３と座のベース部材１１とを一体のものとして成形するようにしても良い。
【００５８】
また、上述の実施形態では座のベース部材１１は板状であるが、座のベース部材１１は例えば枠状や前後一対若しくは左右一対のレール状などインナーシェル１３を取り付ける部分が少なくともあれば良い。
【００５９】
また、上述の実施形態では本発明によるシェル撓み調整機構を椅子の座に適用する場合を前提とした例について主に説明したが、本発明によるシェル撓み調整機構の適用対象は椅子の座に限定されるものではなく、椅子の背に適用することも可能である。椅子の背に適用する場合には、例えば、上述の実施形態における座のベース部材１１が背のベース部材２３に代わると考え、当該背のベース部材２３にインナーシェル１３を取り付けて背のインナーシェルとして本発明の構造を用いる。この場合には、背部に組み込まれるインナーシェルの上端部分と下端部分との両方に立体支持部を設けるようにしたり、上端部分と下端部分とのうちのどちらか一方に立体支持部を設けるようにしたり、左端部分と右端部分との両方に立体支持部を設けるようにしたりする。さらに、背のインナーシェルと背のベース部材２３との間（即ち、背のインナーシェルの後方）に撓み調整部材１６を配置する（背のベース部材２３に取り付けられる）。なお、上述の実施形態では背のベース部材２３は板状であるが、背のベース部材２３は例えば枠状や前後一対若しくは左右一対のレール状などインナーシェルを取り付ける部分が少なくともあれば良い。
【００６０】
そして、本発明の椅子としては、上述の椅子の座と椅子の背とのうちのどちらか一方若しくは両方を備えるようにする。そして、上述のように、撓み調整部材１６を備えることによってインナーシェルの撓み部の撓み量を調整するようにしているので、例えば体重の軽重といった着座者の特性や、座部・背部は硬めが良いや柔らかめが良いといった着座者の好みや、執務中は硬めが良いが休憩中は柔らかめが良いといった使用場面に応じて座や背の撓み量を調整することができる。
【００６１】
また、上述の実施形態ではインナーシェル１３（これを構成する帯部材１３Ａ）の前後端部に立体支持部(１３ａ，１３ｂ)を設けるようにしているが、端部に立体支持部(１３ａ，１３ｂ)を設けないようにしても良い。すなわち、インナーシェル１３は平板形状であっても構わない。
【符号の説明】
【００６２】
１０  座部
１１  座のベース部材
１３  インナーシェル
１３Ａ  帯部材
１３ａ  前側湾曲部（立体支持部）
１３ｂ  後側湾曲部（立体支持部）
１６  撓み調整部材
【図１】
0005931395.tif 000002
【図２】
0005931395.tif 000003
【図３】
0005931395.tif 000004
【図４】
0005931395.tif 000005
【図５】
0005931395.tif 000006
【図６】
0005931395.tif 000007
【図７】
0005931395.tif 000008
【図８】
0005931395.tif 000009
【図９】
0005931395.tif 000010
【図１０】
0005931395.tif 000011